(57)【要約】【課題】記録再生装置で、ディスクメディアへの記録は、記録時の最大の電力消費量が大きくなる。最大の電力消費量に合わせた放熱対策が必要になることや、大きなバッテリーが必要なこと、全体が大きく、重くなると言う問題点を有していた。また、半導体メモリカードメディアに画像データを保存した場合、ビット当たりの単価が高いという課題があった。【解決手段】記録モード時には、消費電力の少ない半導体メモリカードメディアへの記録を専用で行い、記録が終了した後の転送モード時には、カメラ回路をＯＦＦして、全体の消費電力を抑える。ビット当たりの単価が高い半導体メモリカードメディアから、ビット当たりの単価が安いディスクメディアやテープメディアへ転送を行う事により、最終的な画像データの保存に、ビットあたりの単価が安いディスクメディアやテープメディアを使用する事が出来る。【選択図】図１
2009253791.tif 000002
【特許請求の範囲】
【請求項１】
カメラ信号処理部と、
前記カメラ信号処理部の出力を圧縮処理する画像圧縮部と、
半導体メモリ、光ディスク、または磁気記録媒体を含む複数の記録媒体への記録および再生を行う２以上の記録媒体アクセス部と、
前記複数の記録媒体の内、前記記録媒体アクセス部を介して、半導体メモリのみに前記画像圧縮部の出力を記録する記録部と、
前記複数の記録媒体上の画像信号を、前記記録媒体アクセス部を介して読み出し再生する再生部と、
前記再生部の出力を表示する表示部と、
前記複数の記録媒体の内、所定の記録媒体上の画像信号を読み出し、他の記録媒体に記録する転送部と、
を備えた記録再生装置。
【請求項２】
画像信号を記録する記録モードと、画像信号を表示する再生モードと、前記転送部により複数の記録媒体間で画像信号を転送する転送モードとを切り替える動作モード選択部と、
前記動作モードに応じて、電力供給を制御する電力制御部と、
を備えた請求項１記載の記録再生装置。
【請求項３】
前記複数の記録媒体が、半導体メモリと磁気記録媒体であり、
前記転送部は、半導体メモリ上の画像信号を読み出し、磁気記録媒体に記録する請求項２に記載の記録再生装置。
【請求項４】
前記複数の記録媒体が、半導体メモリと光ディスクであり、
前記転送部は、半導体メモリ上の画像信号を読み出し、光ディスクに記録する請求項２に記載の記録再生装置。
【請求項５】
前記記録媒体アクセス部を介して、前記複数の記録媒体へ記録する際の画像信号のフォーマットが同一である請求項１から請求項４の何れかに記載の記録再生装置。
【発明の詳細な説明】
【技術分野】
【０００１】
本発明は、撮影した映像をデジタル信号処理で、圧縮してメディアに保存し、保存した画像データを伸張して再生する記録再生装置に関するものである。
【背景技術】
【０００２】
近年、ビデオカメラ等の記録再生装置は、撮影した映像をデジタル信号処理で圧縮してメディアに保存する物が多い。
【０００３】
以下に従来のビデオカメラについて図面を用いて説明する。
【０００４】
従来のビデオカメラとして、特許文献１に記載されたものが知られている。その構成を図４に示す。図４において、１１はカメラ信号処理回路である。１２は画像処理回路である。画像処理回路１２は、記録時にカメラ信号処理回路１１の出力を、メディアに記録できる程度のより低いビットレートまで圧縮し、再生時にそれぞれのメディアからの再生画像信号を伸張する。１３はスロットで、圧縮した画像信号を保存する為の半導体メモリカードメディアを挿入するスロットである。１４は記録時に画像処理回路１２で圧縮された画像信号を記録するディスクメディアをドライブするためのディスクドライブ装置である。１５は画像出力回路であり、画像処理回路１２からの再生画像信号を表示する。
【０００５】
以上のように構成された従来のビデオカメラについて、以下その動作を説明する。
【０００６】
まず、カメラ信号処理回路１１からの出力は、そのままでは、ビットレートが高すぎて、メディアに記録できない。または、仮に記録したとしても、データの量が膨大すぎて、極端に記録可能時間が短くなる。そこで、記録時には、画像処理回路１２でカメラ信号処理回路１１の出力をメディアに記録できる程度の低いビットレートになるまで画像データを圧縮し、ビットレートを落とす。そのために、デジタル信号処理による画像データの圧縮回路を使用する。圧縮方法としては、従来から、ＭＰＥＧ２、ＭＰＥＧ４などが知られている。
【０００７】
圧縮した画像信号は、スロット４に挿入された半導体メモリカードメディアに記録する。また、圧縮した画像信号は、ディスクドライブ装置内のディスクメディアへ記録する場合もある。また、再生時において、画像処理回路１２は、再生時にそれぞれのメディアからの再生画像信号を、デジタル信号処理して、ビットレートを、カメラから出力される信号と同等の高いビットレートまで伸張して戻す処理を行う。その画像処理回路１２の出力を画像出力回路１５に出力し、映像を映す。
【特許文献１】特開２００６−１７９０６２号公報
【発明の開示】
【発明が解決しようとする課題】
【０００８】
しかしながら上記の従来の構成では、図５の従来の消費電力比率例に示すように、ディスクメディアへの記録を想定しているので、記録モード時の最大の電力消費量が８（Ｗ）と大きくなる。その為、最大の電力消費量８（Ｗ）に合わせた放熱部品が必要になることや、熱がこもらないようにするための大きな内部空間が必要になる。また、電力消費量が８（Ｗ）と大きいと、所定の連続録画時間を確保するため大きなバッテリーが必要となり、ポータブル機器として、全体が大きく、重くなると言う問題点を有していた。
【０００９】
また、スロット３に挿入された半導体メモリカードメディアに画像データを保存した場合、半導体メモリカードメディアの単価が高いので、ビット単位の単価も高くなる。つまり、容量がいっぱいになったからと言って、次々と別の半導体メモリカードメディアを購入して使用するわけには行かない。
【００１０】
その結果、撮影した画像データを半導体メモリカードメディアに記録した場合、最終的な保存場所は、半導体メモリカードメディアとは別のメディアとなる。つまり、もっとビット単位の単価の安い、例えば、ディスクやテープなどのメディアに移して保存、利用すべきである。ところが、上記の従来の構成では、本体機器内に、そのような、移し替えの仕組みは、用意されていないと言うもう一つの問題点を有していた。
【課題を解決するための手段】
【００１１】
この目的を達成するために本発明の記録再生装置は、カメラ信号処理部と、前記カメラ信号処理部の出力を圧縮処理する画像圧縮部と、半導体メモリ、光ディスク、または磁気記録媒体を含む複数の記録媒体への記録および再生を行う２以上の記録媒体アクセス部と、前記複数の記録媒体の内、前記記録媒体アクセス部を介して、半導体メモリのみに前記画像圧縮部の出力を記録する記録部と、前記複数の記録媒体上の画像信号を、前記記録媒体アクセス部を介して読み出し再生する再生部と、前記再生部の出力を表示する表示部と、前記複数の記録媒体の内、所定の記録媒体上の画像信号を読み出し、他の記録媒体に記録する転送部と、を備える。
【発明の効果】
【００１２】
本発明は上記の構成により、消費電力の低い記録再生装置を提供すると共に、最終的な、画像データの保存場所についても、機器本体内で、ユーザの選択したメディアに移して保存することができる。
【発明を実施するための最良の形態】
【００１３】
本発明の請求項１に記載の記録再生装置は、カメラ信号処理部と、前記カメラ信号処理部の出力を圧縮処理する画像圧縮部と、半導体メモリ、光ディスク、または磁気記録媒体を含む複数の記録媒体への記録および再生を行う２以上の記録媒体アクセス部と、前記複数の記録媒体の内、前記記録媒体アクセス部を介して、半導体メモリのみに前記画像圧縮部の出力を記録する記録部と、前記複数の記録媒体上の画像信号を、前記記録媒体アクセス部を介して読み出し再生する再生部と、前記再生部の出力を表示する表示部と、前記複数の記録媒体の内、所定の記録媒体上の画像信号を読み出し、他の記録媒体に記録する転送部と、を備えたものであり、記録時に圧縮処理した画像信号を保存するメディアを、半導体メモリカードメディアに限定する事により、記録時を含めた全モードで、一定値以下の低い消費電力の、小型軽量な、記録再生装置を提供出来るという優れた作用を有する。
【００１４】
また、この転送を行う機構を内部に持つ構成により、最終的な画像データの保存先をディスクメディアとする事が出来る。それは、最終的な保存メディアとして、半導体メモリを使用したメディアより、遥にビット当たりの単価が安いディスクメディアを、最終的な画像データの保存先として使用できるという優れた作用を有する。
【００１５】
請求項２に記載の記録再生装置は、画像信号を記録する記録モードと、画像信号を表示する再生モードと、前記転送部により複数の記録媒体間で画像信号を転送する転送モードとを切り替える動作モード選択部と、前記動作モードに応じて、電力供給を制御する電力制御部と、を備えたものであり、記録モードと、再生モードと、転送モードとを別個に設けることにより、それぞれのモードで動作不要な回路ブロックの電源をＯＦＦする事が出来る。その結果、それぞれのモードで動作するのに最低限必要な回路ブロックのみを限定して動作させることが出来るので、記録モードも含めた、全てのモードの電力消費を一定の低い値に抑えることが出来るという優れた作用を有する。
【００１６】
請求項３に記載の記録再生装置は、前記複数の記録媒体が、半導体メモリと磁気記録媒体であり、
前記転送部は、半導体メモリ上の画像信号を読み出し、磁気記録媒体に記録するものであり、このことにより、最終的な画像データの保存先をテープメディアとすることができる。それは、最終的な保存メディアとして、半導体メモリを使用したメディアより、遥にビット当たりの単価が安いテープメディアが使用できるという優れた作用を有する。
【００１７】
請求項４に記載の記録再生装置は、前記複数の記録媒体が、半導体メモリと光ディスクであり、
前記転送部は、半導体メモリ上の画像信号を読み出し、光ディスクに記録するものであり、これにより、最終的な画像データの保存先を光ディスクとすることができ、最終的な保存メディアとして、半導体メモリを使用したメディアより、ビット当たりの単価が安い光ディスクが使用できるという優れた作用を有する。
【００１８】
請求項５に記載の記録再生装置は、前記記録媒体アクセス部を介して、前記複数の記録媒体へ記録する際の画像信号のフォーマットが同一であり、これにより、機器内の複数の記録用メディア間で画像データを記録するフォーマットを統一することができ、複数の記録用メディア間で画像データを転送するときに、画像データを圧縮又は伸張処理を行う必要がないので、転送時の電力消費をより低く抑え、転送にかかる時間も短くて済むという優れた作用を有する。
【００１９】
以下、本発明の実施の形態について、図１から図４を用いて説明する。
（実施の形態１）
図１は本発明の記録再生装置をビデオカメラに適用した実施の形態１における構成を示すブロック図である。図１において、カメラ信号処理部１は、被写体を撮像するためのレンズと、レンズによる光信号を電気信号に変換するＣＣＤ、ＣＭＯＳ等からなり、撮像した映像信号をデジタル信号で出力する。画像信号処理部２は、カメラ信号処理部１からの画像信号を圧縮するとともに、圧縮した画像信号を伸張するＤＳＰ（デジタル信号処理回路）で構成される。本実施の形態では、画像信号の圧縮処理と伸張処理とを１つの信号処理回路で処理するとしたが、これに限るものではなく、それぞれ個別の処理回路を設けてもよい。ディスクメディアアクセス部３は、記録再生装置に装着された各種ＤＶＤ等のディスクメディアへの書き込み、読み出しを行うアクセス部である。半導体メモリカードアクセス部４は、記録再生装置に装着された半導体メモリカードへの書き込み、読み出しを行うアクセス部である。半導体メモリカードとは、大容量半導体メモリをカード状の外装の中に納めて記録用メディアとして用いるものである。画像出力部５は、記録再生装置本体が備える液晶部（図示せず）、または外部モニター等に、記録媒体中に記録された画像信号を画像信号処理部２で伸張した画像信号、またはカメラ信号処理部１からの画像信号を出力する。転送部７は、半導体メモリカード上の画像信号を半導体メモリカードアクセス部４を介して読み出し、ディスクメディアアクセス部３を介して、ディスクメディアに書き込む。
【００２０】
以上のように構成されたビデオカメラについて、その動作を説明する。
【００２１】
まず、図１を用いて記録時の動作について説明する。カメラ信号処理部１が出力した画像信号は、画像信号処理部２で圧縮処理され、圧縮処理した画像信号は、必ず、半導体メモリカードアクセス部４を介して、半導体メモリカードメディアに記録される。
【００２２】
これは、記録モード時の記録先のメディアを半導体メモリカードメディアに限定することにより、通常、最も消費電力の大きい記録モードの電力を一定値以下に押さえることが出来るからである。
【００２３】
記録時の消費電力の比率を図２に示す。この例では、従来構成での記録時最大電力８（Ｗ）に対して、本発明での記録時最大電力は６（Ｗ）に抑えられている。細かな差はあるが、おおむね、機器全体に占めるカメラ信号処理部回路１、及びディスクメディアアクセス部３を介してディスクメディアに画像信号を記録するディスクメディア記録回路の消費電力比率が大きく、その二つの回路を同時に動作させると、最大消費電力が大きくなる。従って、記録モード時に、ディスクメディア記録回路に対する記録を禁止する事により、全体の消費電力を押さえることが出来る。
【００２４】
次に、記録後に半導体メモリカード上の画像信号を、ディスクメディアに転送する転送モードの動作について説明する。このモードは、記録モードでの撮影が終了後、撮影した画像信号を、最終的な保存先であるディスクメディアに移すときに使用する。この時、基本的には半導体メモリカードメディアの再生回路と、ディスクメディアの記録回路しか動作する必要はなく、カメラ信号処理部１が動作していないので、全体の消費電力を一定値以下の低い値に押さえる事が出来る。
【００２５】
この時の消費電力の比率を図２、及び図５に示す。図５では、従来の消費電力の比率を計算している。図５において、記録モード時に、比較的消費電力の大きいカメラ信号処理部１とディスクメディア記録回路、および画像信号処理部２における圧縮処理が同時に動いているので、全体の消費電力は８（Ｗ）となる。
【００２６】
それに対して、図２では、例として、本発明の消費電力の比率を、図５の構成要素の消費電力は変えずに、各モード毎の電力を改めて、計算している。図２において、記録モード時に、比較的消費電力の大きいカメラ信号処理部１と画像信号処理部２における画像圧縮処理は同様に動いているが、記録先を半導体メモリカードメディアに限定したために、ディスクメディア記録回路は同時に動く事はなく、全体の消費電力は６（Ｗ）が最大値となる。
【００２７】
本発明に於いて、再生モードは、従来の再生モードと同様である。つまり、画像信号処理２における画像伸張処理は、再生時には、それぞれのメディアからアクセス部を介して再生画像信号を取り出す事が出来る。それぞれのメディアからの再生信号は、デジタル信号処理して、ビットレートをカメラからの信号と同等の高いビットレートまで伸張する処理を行う。その伸張回路の出力を画像出力部５を介して、テレビ等に向かって出力し、テレビ等に映像を表示する。これにより、撮影済みの画像は、ディスクメディアに記録した信号も、半導体メモリカードメディアに記録した信号も、画像信号処理部２を使って再生する。
【００２８】
以上のように本実施の形態１によれば、記録のメディアを半導体メモリカードメディアに限定したことにより、全体の電力を押さえることが出来る。また、保存用の撮影済みの画像は、ディスクメディアに移動してから保存することにより、高価な半導体メモリカードメディアではなく、安価なディスクメディアで保存することが出来る。
（実施の形態２）
図３は本発明の記録再生装置をビデオカメラに適用し、記録媒体をテープメディアとした際の構成を示すブロック図である。図３において、図１の構成と異なる点は、ディスクメディアアクセス部３を、テープメディアアクセス部６に変更した点である。テープメディアアクセス部６を介してアクセスするテープメディアとしては、例えば、ＤＶＣのミニＤＶテ―プ等がある。
【００２９】
以上のように構成されたビデオカメラについて、以下その動作を説明する。まず、記録モードでは、図１の構成と同様に、画像信号処理部２で、圧縮処理した画像信号は、必ず、半導体メモリカードアクセス部４を介して半導体メモリカードメディアに記録する。その後、図３に示すように、転送部７は、半導体メモリカードに記録された画像信号を、半導体メモリカードアクセス部４を介して読み出し、テープメディアアクセス部６を介して、テープメディアに記録し、テープメディアの形で保存する。
【００３０】
保存用にテープメディアに移動した撮影済みの画像信号は、再生モード時において、テープメディアアクセス部６を介してテープメディアから読み出され、画像信号処理部２でデジタル信号処理され、ビットレートをカメラからの信号と同等の高いビットレートまで伸張し、画像出力部５を介してテレビ等に映像を映す。
【００３１】
以上のように本実施の形態２でも、記録のメディアを半導体メモリカードメディアに限定したことにより、全体の電力を押さえることが出来る。また、保存用の撮影済みの画像は、テープメディアに移動してから保存することにより、高価な半導体メモリカードメディアではなく、安価なテープメディアで保存することが出来る。
【００３２】
なお、以上の説明では転送モードは、半導体メモリカードメディアから、ディスクメディアへ、又はテープメディアへとしたが、再生の簡便性などの理由で、ディスクメディア、又はテープメディアから、半導体メモリカードメディアへ転送して、使用することも構成的には、可能である。
【００３３】
また、転送モードは、使用者がその必要性に応じて、手動で選んで実施すべきであるが、撮影終了後、一定時間経った後にタイマー装置等を使用して、自動的に行うように構成することも出来る。
【００３４】
また、状況や、タイマー、時計情報などによる判定を入れることにより、必ず、撮影後や、夜間や、バッテリーを充電している間などの条件を満たせば、自動的に、転送モードに入るようにすることも可能である。
【産業上の利用可能性】
【００３５】
本発明は、ビデオカメラ等で記録できる、動画や音声といった情報に加えて、静止画についても適用でき、デジタルスチルカメラ（ＤＳＣ）の分野にも適用することが可能である。
【図面の簡単な説明】
【００３６】
【図１】本発明の一実施の形態における記録再生装置の構成を表すブロック図
【図２】本発明における電力比率を表す図
【図３】本発明の他の実施の形態における記録再生装置の構成を表すブロック図
【図４】従来の記録再生装置の構成を表すブロック図
【図５】従来の電力比率を表す図
【符号の説明】
【００３７】
１    カメラ信号処理部
２    画像信号処理部
３    ディスクメディアアクセス部
４    半導体メモリカードアクセス部
５    画像出力部
６    テープメディアアクセス部
７    転送部
１１    カメラ信号処理回路
１２    画像処理回路
１３    半導体メモリカードスロット
１４    ディスクドライブ装置
１５    画像出力回路
【図１】
2009253791.tif 000003
【図２】
2009253791.tif 000004
【図３】
2009253791.tif 000005
【図４】
2009253791.tif 000006
【図５】
2009253791.tif 000007